(57)【要約】【課題】メイン制御基板からサブ制御基板への信号の書き換えにより不正な利益を得る不正行為を低減できる遊技機を提供する。【解決手段】メイン制御基板６３とサブ制御基板７３とを備えるスロットマシン１において、メイン制御基板６３は、設定変更操作に基づいて設定を変更する設定変更手段１０１と、設定変更操作前後の設定変更パターンを判定する変更パターン判定手段１０９ａと、報知演出が実行される特別遊技の実行期待度が異なる複数の抽選状態のいずれに移行させるかを、変更パターン判定手段１０９ａの判定結果に基づき決定する抽選状態決定手段１０９ｂと、特別遊技を実行するか否かを決定する特別遊技実行抽選手段１０９ｅと、特別遊技を実行中に役の入賞に必要な情報をサブ制御基板７３に送信する送信手段１１１とを備え、サブ制御基板７３は、遊技情報を受信する受信手段２００と、報知演出を実行する演出実行手段２０２とを備える。【選択図】図４
2016016202.tif 000002
【特許請求の範囲】
【請求項１】
遊技の進行に関する制御を行うメイン制御部と、前記メイン制御部から送信された情報に基づき遊技の進行に合わせた演出の制御を行うサブ制御部とを備える遊技機において、
前記メイン制御部は、
予め設定された複数の役抽選結果のうちのいずれか１つを抽選により決定する役抽選手段と、
所定の設定変更操作に基づき、出玉率の調整をするための設定を、同一または異なる設定に変更する設定変更手段と、
前記所定の設定変更操作があった場合に、その操作前後の設定変更パターンを判定する変更パターン判定手段と、
遊技者に対して報知演出が実行される特別遊技の実行期待度がそれぞれ異なる複数の特別遊技抽選状態のいずれに移行させるかを、前記変更パターン判定手段による判定結果に基づいて決定する抽選状態決定手段と、
前記抽選状態決定手段により決定された前記特別遊技抽選状態に移行させる特別遊技抽選状態移行手段と、
前記特別遊技抽選状態移行手段により移行された前記特別遊技抽選状態に基づき、前記特別遊技を実行するか否かを抽選により決定する特別遊技実行抽選手段と、
前記特別遊技実行抽選手段により前記特別遊技を実行すると決定された場合に、前記特別遊技を実行する特別遊技実行手段と、
前記特別遊技を実行している場合には前記役抽選手段によって決定された役の入賞に必要な情報を含む遊技情報を前記サブ制御部に送信する送信手段とを備え、
サブ制御部は、
前記遊技情報を受信する受信手段と、
前記受信手段により受信した前記遊技情報に基づいて、前記特別遊技を実行している場合に、前記報知演出を実行する報知手段とを備えることを特徴とする遊技機。
【請求項２】
遊技の進行に関する制御を行うメイン制御部と、前記メイン制御部から送信された情報に基づき遊技の進行に合わせた演出の制御を行うサブ制御部とを備える遊技機において、
前記メイン制御部は、
予め設定された複数の役抽選結果のうちのいずれか１つを抽選により決定する役抽選手段と、
所定の設定変更操作に基づき、出玉率の調整をするための設定を、同一または異なる設定に変更する設定変更手段と、
前記所定の設定変更操作があった場合に、その操作前後の設定変更パターンを判定する変更パターン判定手段と、
遊技者に対して報知演出が実行される特別遊技の実行期待度がそれぞれ異なる複数の特別遊技抽選状態のいずれに移行させるかを、前記変更パターン判定手段による判定結果に基づいて決定する抽選状態決定手段と、
前記抽選状態決定手段により決定された前記特別遊技抽選状態に移行させる特別遊技抽選状態移行手段と、
前記特別遊技抽選状態移行手段により移行された前記特別遊技抽選状態に基づき、前記特別遊技を実行するか否かを抽選により決定する特別遊技実行抽選手段と、
前記特別遊技実行抽選手段により前記特別遊技を実行すると決定された場合に、前記特別遊技を実行する特別遊技実行手段と、
前記特別遊技を実行しているか否かに関する情報を含む遊技情報を前記サブ制御部に送信する送信手段とを備え、
サブ制御部は、
前記遊技情報を受信する受信手段と、
前記受信手段により受信した前記遊技情報に基づいて、前記特別遊技を実行している場合に、前記報知演出を実行する報知手段とを備えることを特徴とする遊技機。
【請求項３】
前記抽選状態決定手段は、抽選確率が異なる同一設定変更用抽選テーブルと異設定変更用抽選テーブルとを有し、
前記抽選状態決定手段は、前記変更パターン判定手段の判定結果に応じた前記設定変更用抽選テーブルを用いた抽選により、前記各特別遊技抽選状態のいずれに移行させるかを決定することを特徴とする請求項１または２に記載の遊技機。
【発明の詳細な説明】
【技術分野】
【０００１】
本発明は、遊技の進行に関する制御を行うメイン制御部と、メイン制御部から送信された情報に基づき遊技の進行に合わせた演出の制御を行うサブ制御部とを備える遊技機に関する。
【背景技術】
【０００２】
遊技機の一例であるスロットマシンでは、遊技者に有利な遊技状態として、役抽選手段の抽選結果を遊技者に報知する遊技（いわゆる、アシストタイム遊技（ＡＴ遊技））を実行するものがある。ＡＴ遊技では、液晶表示器に当選役を表示するなどして遊技者にいずれの当選役に当選したかが報知されるため、当選役への入賞が容易になる。この種の遊技機では、ＡＴ遊技の実行期待度が異なる複数の遊技状態が設定されるものがある。例えば、ＡＴ遊技の実行期待度が高い高確状態と、低い低確状態とが設定されるものがあり、通常遊技における高確状態では、低確状態よりもＡＴ遊技に移行し易くなっている。また、ＡＴ遊技における高確遊技状態では、低確状態よりも、例えば、ＡＴ遊技のゲーム数の増加（いわゆる「上乗せ」）の期待度が高く設定される。高確状態および低確状態間の状態移行は、所定の役に当選した際の移行抽選に当選した場合など、所定の移行条件の成立により移行する。
【０００３】
ところで、上記したＡＴ遊技の実行期待度が異なる各遊技状態のいずれかへの移行が、出玉率を調整するための設定変更時に行われる場合がある。例えば、非特許文献１に記載の遊技機では、ＡＴ遊技の実行期待度が異なる複数の遊技状態として、「低確」、「通常」、「高確」、「超高確」、「引き戻し」、「前兆」の６つの遊技状態が設定されており、設定変更時に、抽選で各遊技状態のいずれかに移行するように構成されている。一方、同一設定への打ち直しの場合は、常に、ＡＴ遊技の実行期待度が低い「低確」に移行する。したがって、設定変更が行われた後は、遊技状態が「低確」よりもＡＴ遊技が実行され易い「通常」、「高確」、「超高確」に移行したり、ＡＴ遊技に移行することを前提とした「引き戻し」や「前兆」に移行するため、遊技者にとって有利な状態になる。
【先行技術文献】
【非特許文献】
【０００４】
【非特許文献１】「パチスロ必勝本ＤＸ」、辰巳出版株式会社、平成２４年１２月１日、第１２巻第１２号（通巻第１３７号）、ｐ．１１
【発明の概要】
【発明が解決しようとする課題】
【０００５】
上記したように、設定変更時に各遊技状態のいずれかに移行させる構成では、例えば、設定変更後の設定値に関する情報をメイン制御部からサブ制御部に送信し、サブ制御部は、予め記憶していた設定変更前の設定値とメイン制御部から送信された設定値とに基づいて、設定変更か、同一設定への打ち直しかを判断する。そして、サブ制御部で設定変更が行われていると判断した場合は、遊技状態を抽選によりＡＴ遊技の実行期待度が異なる各遊技状態のいずれかに移行させた上で、その遊技状態でＡＴ遊技を実行（移行）するか否かを判断する。
【０００６】
しかしながら、この構成によると、メイン制御部からの設定値に関する情報に基づいて、サブ制御部側で各遊技状態のいずれに移行させるかを判断するため、メイン制御部からサブ制御部に送られる設定値に関する情報を書き換えることなどにより、不正が行われるおそれがあった。
【０００７】
本発明は、上記課題に鑑みてなされたものであり、メイン制御部からサブ制御部への信号の書き換えにより不正な利益を得る不正行為を低減できる遊技機を提供することを目的とする。
【課題を解決するための手段】
【０００８】
上記目的を達成するために、本発明にかかる遊技機は、遊技の進行に関する制御を行うメイン制御部と、前記メイン制御部から送信された情報に基づき遊技の進行に合わせた演出の制御を行うサブ制御部とを備える遊技機において、前記メイン制御部は、予め設定された複数の役抽選結果のうちのいずれか１つを抽選により決定する役抽選手段と、所定の設定変更操作に基づき、出玉率の調整をするための設定を、同一または異なる設定に変更する設定変更手段と、前記所定の設定変更操作があった場合に、その操作前後の設定変更パターンを判定する変更パターン判定手段と、遊技者に対して報知演出が実行される特別遊技の実行期待度がそれぞれ異なる複数の特別遊技抽選状態のいずれに移行させるかを、前記変更パターン判定手段による判定結果に基づいて決定する抽選状態決定手段と、前記抽選状態決定手段により決定された前記特別遊技抽選状態に移行させる特別遊技抽選状態移行手段と、前記特別遊技抽選状態移行手段により移行された前記特別遊技抽選状態に基づき、前記特別遊技を実行するか否かを抽選により決定する特別遊技実行抽選手段と、前記特別遊技実行抽選手段により前記特別遊技を実行すると決定された場合に、前記特別遊技を実行する特別遊技実行手段と、前記特別遊技を実行している場合には前記役抽選手段によって決定された役の入賞に必要な情報を含む遊技情報を前記サブ制御部に送信する送信手段とを備え、サブ制御部は、前記遊技情報を受信する受信手段と、前記受信手段により受信した前記遊技情報に基づいて、前記特別遊技を実行している場合に、前記報知演出を実行する報知手段とを備えることを特徴としている（請求項１）。
【０００９】
また、本発明にかかる他の遊技機は、遊技の進行に関する制御を行うメイン制御部と、前記メイン制御部から送信された情報に基づき遊技の進行に合わせた演出の制御を行うサブ制御部とを備える遊技機において、前記メイン制御部は、予め設定された複数の役抽選結果のうちのいずれか１つを抽選により決定する役抽選手段と、所定の設定変更操作に基づき、出玉率の調整をするための設定を、同一または異なる設定に変更する設定変更手段と、前記所定の設定変更操作があった場合に、その操作前後の設定変更パターンを判定する変更パターン判定手段と、遊技者に対して報知演出が実行される特別遊技の実行期待度がそれぞれ異なる複数の特別遊技抽選状態のいずれに移行させるかを、前記変更パターン判定手段による判定結果に基づいて決定する抽選状態決定手段と、前記抽選状態決定手段により決定された前記特別遊技抽選状態に移行させる特別遊技抽選状態移行手段と、前記特別遊技抽選状態移行手段により移行された前記特別遊技抽選状態に基づき、前記特別遊技を実行するか否かを抽選により決定する特別遊技実行抽選手段と、前記特別遊技実行抽選手段により前記特別遊技を実行すると決定された場合に、前記特別遊技を実行する特別遊技実行手段と、前記特別遊技を実行しているか否かに関する情報を含む遊技情報を前記サブ制御部に送信する送信手段とを備え、サブ制御部は、前記遊技情報を受信する受信手段と、前記受信手段により受信した前記遊技情報に基づいて、前記特別遊技を実行している場合に、前記報知演出を実行する報知手段とを備えることを特徴としている（請求項２）。
【００１０】
また、前記抽選状態決定手段は、抽選確率が異なる同一設定変更用抽選テーブルと異設定変更用抽選テーブルとを有し、前記抽選状態決定手段は、前記変更パターン判定手段の判定結果に応じた前記設定変更用抽選テーブルを用いた抽選により、前記各特別遊技抽選状態のいずれに移行させるかを決定するようにしてもよい（請求項３）。
【発明の効果】
【００１１】
請求項１に係る発明によれば、出玉率の調整をするための設定を変更する所定の設定変更操作があった場合に、その操作前後の設定変更パターンを判定する変更パターン判定手段と、特別遊技の実行期待度がそれぞれ異なる複数の特別遊技抽選状態のいずれに移行させるかを変更パターン判定手段の判定結果に基づいて決定する抽選状態決定手段と、特別遊技抽選状態移行手段により移行された特別遊技抽選状態に基づき特別遊技を実行するか否かを抽選により決定する特別遊技実行抽選手段とをメイン制御部が備える。すなわち、従来、サブ制御部と分担して行っていた設定変更から特別遊技の実行抽選に至る処理をメイン制御部で完結するように構成することで、メイン制御部からサブ制御部へ送信される信号を書き換えるなどして、有利な特別遊技抽選状態へ移行させたり、特別遊技を実行させたりする不正行為を防止することができる。
【００１２】
また、サブ制御部では、特別遊技を実行している場合に、メイン制御部の送信手段により送信された遊技情報（当選役の入賞に必要な情報）に基づいて報知演出を実行するが、メイン制御部の送信手段は、当該遊技情報を特別遊技を実行している場合に送信する。つまり、不正に利用され得る情報の送信を、特別遊技の実行中という必要最小限の場合に制限することで、メイン制御部からサブ制御部へ送信される情報を入手して不正な利益を得るという不正行為を防止することができる。
【００１３】
また、請求項２に係る発明によれば、従来、サブ制御部と分担して行っていた設定変更から特別遊技の実行抽選に至る処理を請求項１に係る発明と同様に、メイン制御部で完結するように構成し、特別遊技を実行しているか否かに関する情報を含む遊技情報を送信手段によりサブ制御部に送信する。そして、サブ制御部は、前記遊技情報に基づいて特別遊技を実行しているか否かを判断し、実行中の場合に、報知手段が報知演出を実行する。このようにすると、当選役の入賞に必要な情報を、特別遊技の実行の有無にかかわらず常にサブ制御部に送信し、特別遊技の実行中に前記入賞に必要な情報を報知するように構成された遊技機において、メイン制御部からサブ制御部へ送信される信号を書き換えるなどして、有利な特別遊技抽選状態へ移行させたり、特別遊技を実行させたりする不正行為を防止することができる。
【００１４】
また、請求項３に係る発明によれば、抽選状態決定手段による各特別遊技抽選状態のいずれに移行させるかの決定を抽選により行うことで、特別遊技抽選状態への移行が変更パターン判定手段の判定結果に応じて一義的に決まらないように構成できるため、遊技者の興趣を高めることができる。また、同一設定に変更された場合と異設定に変更された場合とで抽選テーブルを分けて抽選することで、設定変更時における特別遊技抽選状態の移行パターンの多様化を図ることができる。
【図面の簡単な説明】
【００１５】
【図１】本発明に係る遊技機の一実施形態たるスロットマシンの斜視図である。
【図２】リールの図柄配列を示す図である。
【図３】スロットマシンの電気的構成を示すブロック図である。
【図４】メイン制御基板の機能を示す機能ブロック図である。
【図５】役とリール図柄との関係およびメダルの払出枚数を示す図である。
【図６】役抽選結果とコマンドとの関係を示す図である。
【図７】特別遊技実行抽選テーブルの一例を示す図である。
【図８】サブ制御基板の機能を示す機能ブロック図である。
【図９】メイン処理を示すフローチャートである。
【図１０】初期設定処理を示すフローチャートである。
【図１１】役抽選処理を示すフローチャートである。
【図１２】演出選択処理を示すフローチャートである。
【発明を実施するための形態】
【００１６】
本発明に係る遊技機の一実施形態たるスロットマシン１について、図１〜図１２を参照して説明する。
【００１７】
（構成）
スロットマシン１の構成の概略について図１〜図２を参照して説明する。図１はスロットマシンの斜視図、図２はリールの図柄配列を示す図である。
【００１８】
この実施形態におけるスロットマシン１は、予め設定された複数の遊技状態のうちのいずれかの遊技状態において、メダルなどの遊技媒体が規定数投入されることを条件とする遊技者の操作に基づいて一回の遊技が実行されるものであって、例えば図１に示すように構成されている。すなわち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００１９】
そして、この正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。図２に示すように、左・中・右リール１３Ｌ，１３Ｍ，１３Ｒには、複数種類の図柄（例えば、「７」「ＢＡＲ」「Ｂｅｌｌ」「チェリー」「スイカ」「Ｒ１」「Ｒ２」）が合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。
【００２０】
また、各リール１３Ｌ，１３Ｍ，１３Ｒをそれぞれ独立して回転駆動できるように、各リール１３Ｌ，１３Ｍ，１３Ｒには、それぞれステッピングモータにより構成されるリールモータ１４Ｌ，１４Ｍ，１４Ｒが連結されている。
【００２１】
更に、操作板７には、内部に貯留されているクレジットメダルから１枚ずつのメダル投入を指示するためのベットスイッチ１５、クレジットメダルから１ゲーム（遊技）あたりの最大投入枚数（３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。なお、この実施形態では、１ゲームに必要なメダル投入数（規定数）は、３枚の１種類が設定されている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２２】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられ、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２３】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルの払出口３９や、この払出口３９から払い出されるメダルを受けるメダル受け４１が設けられている。また、正面板９には入賞ラインが描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２４】
また、各リール１３Ｌ，１３Ｍ，１３Ｒを支持する支持枠体が、筐体３内の後壁に固定されている。筐体３内の支持枠体の下方には、メダルを払出口３９に排出するためのホッパーユニット４３が配設されている。また、メダル投入口２５付近の裏面側には、メダル投入口２５に投入されたメダルが正規のものか否かを選別して正規のメダルのみをホッパーユニット４３に導くメダルセレクタ４８が配設されている。また、ホッパーユニット４３の左側には、操作ボックス４９が筐体３内の左側壁に固定されている。この操作ボックス４９には、電源のオンオフを切り換える電源スイッチ５０が設けられるとともに、後述する設定変更処理のためのキーシリンダおよび押しボタン式の設定変更ボタン５２が設けられている。
【００２５】
続いて、スロットマシン１の電気的な構成について図３〜図８を参照して説明する。図３はスロットマシンの電気的構成を示すブロック図、図４はメイン制御基板の機能を示す機能ブロック図、図５は役とリール図柄との関係およびメダルの払出枚数を示す図、図６は役抽選結果とコマンドとの関係を示す図、図７は特別遊技実行抽選テーブルの一例を示す図、図８はサブ制御基板の機能を示す機能ブロック図である。
【００２６】
図３において、投入センサ５３は、筐体３内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、払出口３９に払い出されるメダルを１枚ずつ検出するものである。
【００２７】
左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００２８】
変更処理開始スイッチ５６は、操作ボックス４９のキーシリンダの内部に設けられており、設定変更キー（図示省略）をキーシリンダに挿入して回転することによりオンオフが切り換えられる。
【００２９】
ホッパーモータ５７はホッパーユニット４３に配設され、その駆動によりメダルを払出口３９に向けて払い出すものである。
【００３０】
また、このスロットマシン１では、遊技の進行に関する制御を行うメインＣＰＵ６１が実装されたメイン制御基板６３（本発明の「メイン制御部」に相当）と、メイン制御基板６３から送信された情報に基づき遊技の進行に合わせた演出の制御を行うサブＣＰＵ７１が実装されたサブ制御基板７３（本発明の「サブ制御部」に相当）とが別々に設けられており、メイン制御基板６３からサブ制御基板７３に対して各種の遊技情報が一方向で送信される。
【００３１】
メイン制御基板６３のＲＡＭ６５はスロットマシン１の遊技状態などの遊技に関するデータを一時的に記憶するものであり、各種のデータを格納するための各種の記憶領域が形成されている。
【００３２】
また、メイン制御基板６３のＲＯＭ６７は予め設定されたデータ（役抽選テーブル６７１、設定変更用抽選テーブル６７３、特別遊技実行抽選テーブル６７４、停止テーブル６７２など）を含む遊技機用プログラム（スロットマシン１用のプログラム）を記憶する。
【００３３】
また、メイン制御基板６３のメインＣＰＵ６１は、タイマ割込などの割込機能を有し、ＲＯＭ６７に記憶された遊技機用プログラムを実行することにより、遊技の進行に関する処理を行う。また、メインＣＰＵ６１は、役抽選手段１０３による役抽選結果（後述する、役の入賞に必要な情報も含む）に関する情報、各ストップスイッチ２１Ｌ，２１Ｍ，２１Ｒ、スタートスイッチ１９等の遊技者により操作される操作器具の操作に関する情報、特別遊技を実行しているか否かを示す情報、特別遊技中のゲーム数増加（いわゆる、「上乗せ」）の抽選結果を示す情報、特別遊技抽選状態に関する情報などの種々の遊技情報をコマンド形式でサブ制御基板７３（サブＣＰＵ７１）に送信する。
【００３４】
また、サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種の遊技情報に基づいてメモリ７５に格納されたプログラムを実行することで、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７やスピーカ３１Ｌ，３１Ｒなどの演出機器の制御を行う。
【００３５】
（メイン制御基板）
次に、メイン制御基板６３について詳細に説明する。図４に示すように、メイン制御基板６３は、ＲＯＭ６７に格納されたプログラムを実行することにより実現される種々の機能や、ハードウェアが制御されることにより実現される種々の機能を備えている。
【００３６】
（１）遊技制御手段１００
遊技制御手段１００は、スロットマシン１の遊技を制御して、一般的な遊技である通常遊技および遊技者にとって通常遊技よりも有利な遊技であるボーナス遊技を実行するものである。具体的には、通常遊技において、所定の特別役（ＢＢ、ＲＢ）に入賞（入賞ライン上に「７−７−７」が揃えばＢＢ入賞、入賞ライン上に「ＢＡＲ−ＢＡＲ−ＢＡＲ」が揃えばＲＢ入賞）することによりボーナス遊技に移行する。また、ボーナス遊技において、所定のメダルが払い出されたり、所定数の遊技（ゲーム）が実行されるなどのボーナス遊技終了条件が成立するとボーナス遊技を終了して通常遊技に移行するように構成されている。
【００３７】
通常遊技では、まず、投入センサ５３、ベットスイッチ１５または最大ベットスイッチ１７により、３枚のメダルの投入を検出すると、中段の入賞ラインが有効になり、有効表示ランプが点灯する。そして、メダルの投入を条件にスタートスイッチ１９が操作されたことを検出すると、役抽選手段１０３により予め設定された複数の当選役のいずれかに当選したかハズレかの抽選が行われるとともに、左・中・右リール１３Ｌ，１３Ｍ，１３Ｒの全ての回転を開始させ、表示窓１１に表示される各リール１３Ｌ，１３Ｍ，１３Ｒの図柄を各リール１３Ｌ，１３Ｍ，１３Ｒの回転角に合わせて判別することを開始する。
【００３８】
その後、左ストップスイッチ２１Ｌが操作されたことを検出すると左リール１３Ｌを停止させ、中ストップスイッチ２１Ｍが操作されたことを検出すると中リール１３Ｍを停止させ、右ストップスイッチ２１Ｒが操作されたことを検出すると右リール１３Ｒを停止させる。このように、各ストップスイッチ２１Ｌ，２１Ｍ，２１Ｒの操作により対応する左・中・右リール１３Ｌ，１３Ｍ，１３Ｒの回転が停止する。
【００３９】
そして、３個すべての左・中・右ストップスイッチ２１Ｌ，２１Ｍ，２１Ｒを操作し終えると、３個すべての左・中・右リール１３Ｌ，１３Ｍ，１３Ｒの回転が停止する。このとき、所定の図柄が所定の位置に停止すると、入賞となる。そして、入賞態様に応じた枚数のメダルがクレジットされるか、または払出口３９から払い出される。また、メダルの払い出しに代えて、あるいはメダルの払い出しとともに、遊技者に対して所定の利益が付与されることもある。
【００４０】
図５に示すように、この実施形態では、当選役として、特別役（ボーナス：ＢＢ，ＲＢ）、小役（中段ベル、一枚役１〜１２、強チェリー、弱チェリー、強スイカ、弱スイカ）、再遊技役（リプレイ１〜８）が予め設定されている。そして、役抽選手段１０３の役抽選結果には、特別役当選（ボーナス当選）と、小役当選と、再遊技役当選（リプレイ当選）と、ハズレとがある。また、役抽選結果の中には、操作態様に応じて異なる役（「中段ベル」、「一枚役１」〜「一枚役１２」、「リプレイ１」〜「リプレイ８」）に揃う可能性のある重複当選（当選役グループ：左ベル・中ベル・右ベル・リプレイ）が設定されている。
【００４１】
また、入賞には、ボーナス遊技への移行に係る特別役入賞（ボーナス入賞）と、メダルの払い出しに係る小役入賞と、再遊技（リプレイ）の実行に係る再遊技役入賞（リプレイ入賞）とがある。
【００４２】
そして、例えば、図５の役「ＢＢ」「ＲＢ」に係る各表示態様で各リール１３Ｌ，１３Ｍ，１３Ｒの図柄が入賞ライン上に３個揃うと、特別役入賞となって、ボーナス遊技が実行される。
【００４３】
なお、この実施形態では、特別役入賞によるメダル払い出しはなく（特別役の規定払出枚数は０）、特別役に係る入賞態様が成立した遊技の後にボーナス遊技へ移行するように構成されているが、特別役に所定枚数（例えば１０枚）の規定払出枚数を設定し、メダルを払い出した後にボーナス遊技へ移行するようにしてもよい。
【００４４】
また、例えば、図５の役「中段ベル」「一枚役１」〜「一枚役１２」「強チェリー」「弱チェリー」「強スイカ」「弱スイカ」に係る各表示態様で各リール１３Ｌ，１３Ｍ，１３Ｒの図柄が表示窓１１の中段の入賞ライン上に３個揃うと小役入賞となって、図５の「払出枚数」の欄に示す枚数のメダルが払い出される。
【００４５】
また、図５の役「リプレイ１」〜「リプレイ８」に係る表示態様で各リール１３Ｌ，１３Ｍ，１３Ｒの図柄が入賞ライン上に３個揃うと再遊技役入賞となって、新たなメダルを投入することなく、前回の遊技と同じ条件で再度遊技を行うことができる。
【００４６】
また、この実施形態では、上記したように役抽選手段１０３により複数の役に同時に当選することができるように構成されている。すなわち、図６に示すように、複数の役により構成される当選役グループ（役抽選結果）が形成されており、各当選役グループに当選したか否かが役抽選手段１０３により抽選される。各当選役グループのうち、当選役グループ「左ベル」「中ベル」「右ベル」（以後、当選役グループ「左ベル」「中ベル」「右ベル」をまとめて「ベルグループ」）には、それぞれ、複数の当選役が含まれており、当選役グループ「左ベル」は、「中段ベル」「一枚役１」〜「一枚役４」により構成され、当選役グループ「中ベル」は、「中段ベル」「一枚役５」〜「一枚役８」により構成され、当選役グループ「右ベル」は、「中段ベル」「一枚役９」〜「一枚役１２」により構成されている。
【００４７】
したがって、役抽選手段１０３により、当選役グループ「左ベル」に当選したと決定されれば、「中段ベル」「一枚役１」〜「一枚役４」に同時に当選したことになり、当選役グループ「中ベル」に当選したと決定されれば、「中段ベル」「一枚役５」〜「一枚役８」に同時に当選したことになり、当選役グループ「右ベル」に当選したと決定されれば、「中段ベル」「一枚役９」〜「一枚役１２」に同時に当選したことになる。
【００４８】
また、当選役グループ「左ベル」「中ベル」「右ベル」それぞれには、遊技者に有利になるストップスイッチ２１Ｌ，２１Ｍ，２１Ｒの操作態様（押し順）が予め設定されている。すなわち、図６の「備考」の欄に示すように、役抽選手段１０３による役抽選結果（当選役グループ）が同一の場合であっても、遊技者が各ストップスイッチ２１Ｌ，２１Ｍ，２１Ｒをどのような順番で操作したかによって入賞態様（表示態様）が異なるように、停止制御手段１０５が各リール１３Ｌ，１３Ｍ，１３Ｒを停止制御するように構成されている。
【００４９】
すなわち、停止制御手段１０５は、図６に示す各当選役グループ「左ベル」「中ベル」「右ベル」のいずれかに当選している場合は、各ストップスイッチ２１Ｌ，２１Ｍ，２１Ｒの操作順序によって、優先的に入賞ライン上に揃える図柄（役）が異なるように構成されている。
【００５０】
具体的には、図６に示すように、例えば役抽選手段１０３による役抽選結果が当選役グループ「左ベル」に当選であった場合に、最初に左ストップスイッチ２１Ｌに対して操作が行われると、最も遊技者に有利である当選役「中段ベル」に対応した表示態様である図柄「Ｂｅｌｌ」が入賞ライン上に揃った状態で図柄が表示されるように各リール１３Ｌ，１３Ｍ，１３Ｒが停止制御手段１０５により停止制御される。その一方で、最初に左ストップスイッチ２１Ｌに対して操作が行われないと、当選役「中段ベル」に対応した表示態様である図柄「Ｂｅｌｌ」が入賞ライン上に揃った状態で図柄が表示されることはない。つまり、役抽選結果が当選役グループ「左ベル」、「中ベル」、「右ベル」のいずれかであった場合は、予め設定された操作順序でストップスイッチ２１Ｌ，２１Ｍ，２１Ｒを操作しない限り、当該当選役グループに含まれる遊技者に最も有利な当選役に対応した表示態様で図柄が表示されることはない。
【００５１】
次に、ボーナス遊技の態様について説明する。この実施形態では、ボーナス遊技として、レギュラーボーナスとビッグボーナスが設定されている。通常遊技において、入賞ライン上に「ＢＡＲ−ＢＡＲ−ＢＡＲ」が揃えば、特別役ＲＢに入賞となり、次遊技からレギュラーボーナス（ボーナス遊技）が実行される。レギュラーボーナスでは、役抽選手段１０３による抽選処理の当選確率を規定する役抽選テーブル６７１が、通常遊技において選択される通常遊技用抽選テーブルから、役抽選手段１０３による抽選処理の当選確率が通常遊技の場合よりも高確率に規定されたＲＢ遊技用抽選テーブルに切り換わることで、通常遊技中よりも、小役の当選確率が高くなるように設定されている。そして、レギュラーボーナスゲームに移行した後、例えば、予め設定された回数（例えば、７回）の遊技が行われるとレギュラーボーナスを終了して通常遊技へ移行する。
【００５２】
また、通常遊技において、入賞ライン上に「７−７−７」が揃えば、特別役ＢＢに入賞となり、次遊技からビッグボーナス（ボーナス遊技）が実行される。ビッグボーナスも、レギュラーボーナスと同様に、当選確率が通常遊技中よりも高確率に規定されたＢＢ遊技用抽選テーブルに切り換わることで、通常遊技中よりも、小役の当選確率が高くなるように設定されている。そして、例えば、ビッグボーナスに移行した後、メダル払出枚数が、所定の上限枚数に達したときに、ビッグボーナスを終了して通常遊技へ移行する。したがって、ボーナス遊技（レギュラーボーナス、ビッグボーナス）は、通常遊技に比べて、遊技者に有利な遊技となる。
【００５３】
（２）設定変更手段１０１
設定変更手段１０１は、所定の設定変更操作に基づいて、出玉率（獲得メダル数÷投入メダル数×１００[％]）の調整をするための設定（設定１〜設定６）を、同一または異なる設定に変更するものである。各設定の出玉率は、例えば、設定値毎に各当選役の当選確率を変えたり、特別遊技の実行期待度を設定値が大きくなるに連れて高く設定することで調整される。
【００５４】
ここで、設定値を変更するための設定変更操作について説明する。例えば、スロットマシン１の電源が投入される前に変更処理開始スイッチ５６（設定キー）をＯＮ状態にし、電源を投入すると、設定変更処理が開始される。このとき、設定変更ボタン５２（リセットスイッチ）を１回押すと、電源投入前に設定された設定値から１つ上位の設定値に仮設定される（例えば、設定３から設定４に仮設定）。その後は、設定変更ボタン５２を押す度に１つ上位の設定値に仮設定される。但し、仮設定値が６の場合に設定変更ボタン５２を押すと、設定値が１に戻って仮設定される。そして、最後に、スタートスイッチ１９のＯＮ操作により設定値が確定し、その時の仮設定値がスロットマシン１の設定値になる。なお、確定した設定値は、例えば、ＲＡＭ６５の所定の記憶領域で構成された設定値記憶手段６５１により記憶される。なお、設定値記憶手段６５１により記憶された設定値は、設定変更が行われる度に書き換えられる。
【００５５】
（３）テーブル選択手段１０２
テーブル選択手段１０２は、メイン制御基板６３における遊技制御手段１００により制御される遊技の種類（通常遊技およびボーナス遊技）、設定変更手段１０１により設定される設定値（設定１から設定６）に基づき、複数の役抽選テーブル６７１から１つの抽選テーブルを選択するものである。すなわち、例えば通常遊技では、テーブル選択手段１０２は、役抽選テーブルとして、入賞確率の設定値（設定１〜設定６）に応じて役抽選テーブル６７１（通常遊技用抽選テーブル）を選択する。
【００５６】
（４）役抽選手段１０３
役抽選手段１０３は、予め設定された複数の役抽選結果（ハズレを含む）のうちのいずれか１つを現在の遊技における役抽選結果として、乱数と役抽選テーブル６７１とを使用した抽選処理により決定するものである。また、役抽選テーブル６７１では、乱数値と各役抽選結果との対応関係が定義されている。具体的には、例えば、抽選テーブル６７１には、後述する乱数発生手段１０３ａが発生させる乱数の全範囲中において各役抽選結果それぞれが対応付けされている領域を示すデータが格納されている。
【００５７】
具体的には、役抽選手段１０３は、図６に示す複数の当選役グループ（小役の重複当選を構成する当選役グループを含む）のいずれに当選したか、あるいは、いずれにも当選しなかった（ハズレ）かの抽選を実行する。
【００５８】
ａ）乱数発生手段１０３ａ
乱数発生手段１０３ａは、役抽選用の乱数を所定の乱数値範囲内で発生させるものである。また、乱数発生手段１０３ａは、例えば、発振回路と、この発振回路が発生させたクロック信号をカウントするカウンタ回路とによって構成することができる（いわゆるハード乱数）。なお、乱数発生手段１０３ａは、例えば、平均採中法で乱数を発生させる手段や、あるいは素数の加算によって乱数を発生させる手段によって構成することもできる。これらの手段は、例えば、メインＣＰＵ６１に所定のプログラムを実行させることによって構成することができる（いわゆるソフト乱数）。また、ハード乱数とソフト乱数の双方を備え、それらの結果に基づき乱数をソフト的に生成するようにしてもよい。なお、乱数発生手段１０３ａは、上記した役抽選用の乱数のほか、後述する抽選状態決定手段１０９ｂの抽選に用いられる抽選状態抽選用の乱数、抽選状態移行抽選手段１０９ｃの抽選に用いられる抽選状態移行抽選用の乱数、特別遊技実行抽選手段１０９ｅの抽選に用いられる特別遊技実行抽選用の乱数も発生させる。
【００５９】
ｂ）乱数抽出手段１０３ｂ
乱数抽出手段１０３ｂは、乱数発生手段１０３が発生させた乱数値を抽出するもので、乱数発生手段１０３ａが発生させた乱数値を所定の条件で抽出する。この実施形態では、乱数抽出手段１０３ｂは、スタートスイッチ１９が操作されたタイミングで、現在の遊技における役抽選手段１０３の抽選処理に使用される乱数値を抽出する。なお、乱数抽出手段１０３ｂは、上記した役抽選用の乱数値のほか、抽選状態決定手段１０９ｂの抽選に用いられる抽選状態抽選用の乱数値、抽選状態移行抽選手段１０９ｃの抽選に用いられる抽選状態移行抽選用の乱数値、特別遊技実行抽選手段１０９ｅの抽選に用いられる特別遊技実行抽選用の乱数値も抽出する。
【００６０】
また、乱数発生手段１０３ａは、カウンタ回路などによって構成されるため、乱数発生手段１０３ａが発生させる数値は、厳密には乱数ではない。しかしながら、スタートスイッチ１９が操作されるタイミングはランダムであると考えられるため、乱数抽出手段１０３ｂが抽出する数値は、実質的には乱数として取り扱うことができる。
【００６１】
ｃ）抽選結果決定手段１０３ｃ
抽選結果決定手段１０３ｃは、現在の遊技において乱数抽出手段１０３ｂにより抽出された乱数値と、実行されている遊技（通常遊技またはボーナス遊技）とに基づいて役抽選結果を決定するものである。具体的には、この実施形態では、抽選結果決定手段１０３ｃは、テーブル選択手段１０２により選択された現在の遊技に対応した役抽選テーブル６７１を参照し、乱数抽出手段１０３ｂにより抽出された乱数値が、役抽選テーブル６７１により定義されている各役抽選結果に対応した乱数値の領域のうち、どの領域に属するかを判定することにより、現在の遊技における役抽選結果を決定する。
【００６２】
（５）リール検出手段１０４
リール検出手段１０４は、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出するものである。すなわち、このリール検出手段１０４は、左・中・右リール１３Ｌ，１３Ｍ，１３Ｒの回転中および回転停止時に、所定の基準位置（この実施形態では例えば、表示窓１１の中段）に位置する図柄に対応するコマ番号をそれぞれ検出する。
【００６３】
（６）停止制御手段１０５
停止制御手段１０５は、各ストップスイッチ２１Ｌ，２１Ｍ，２１Ｒの操作に基づき、停止テーブル６７２を用いて各リール１３Ｌ，１３Ｍ，１３Ｒの停止制御を行って、各リール１３Ｌ，１３Ｍ，１３Ｒにより可変表示される各図柄を役抽選手段１０３の役抽選結果に対応した表示態様で停止させるものである。すなわち、停止制御手段１０５は、遊技毎に、抽選結果決定手段１０３ｃにより決定された役抽選結果と、各ストップスイッチ２１Ｌ，２１Ｍ，２１Ｒの操作態様に基づき各リール１３Ｌ，１３Ｍ，１３Ｒの停止制御を行う。
【００６４】
なお、図６の「備考」の欄に記載されているように、「ベルグループ」（当選役グループ「左ベル」「中ベル」「右ベル」のいずれか）に当選した場合には、最初に操作するストップスイッチに応じて、揃う役が異なるように設定されている。また、「ベルグループ」の種類に応じて、有利となる操作態様（「中段ベル」が入賞するストップスイッチ２１Ｌ，２１Ｍ，２１Ｒの操作態様）は異なる。
【００６５】
停止テーブル６７２は、役抽選手段１０３の役抽選結果それぞれに対応して複数のテーブルが設定されている。この停止テーブル６７２は、各リール１３Ｌ，１３Ｍ，１３Ｒの停止位置を決定するためのものであって、ストップスイッチ２１Ｌ，２１Ｍ，２１Ｒが操作されたときのリール１３Ｌ，１３Ｍ，１３Ｒの回転位置に応じて、各リール１３Ｌ，１３Ｍ，１３Ｒの滑りコマ数をあらかじめ定めたものである。停止テーブル６７２は、この実施形態では、各リール１３Ｌ，１３Ｍ，１３Ｒそれぞれについて、対応するストップスイッチ２１Ｌ，２１Ｍ，２１Ｒの停止操作順序に対応して滑りコマ数が異なるように形成されている。すなわち、例えば左リール１３Ｌが１番目に停止（第１停止）されたときと、２番目に停止（第２停止）されたときと、３番目に停止（第３停止）されたときとで滑りコマ数（テーブルデータ）が異なるように、停止テーブル６７２は、各リール１３Ｌ，１３Ｍ，１３Ｒの停止操作順序に対応して定められている。
【００６６】
具体的には、停止テーブル６７２は、各リール１３Ｌ，１３Ｍ，１３Ｒそれぞれについて、対応する各ストップスイッチ２１Ｌ，２１Ｍ，２１Ｒが１番目に操作されたときの第１停止用の停止テーブルと、２番目に操作されたときの第２停止用の停止テーブルと、３番目に操作されたときの第３停止用の停止テーブルとを個別に備えている。そして、各リール１３Ｌ，１３Ｍ，１３Ｒそれぞれに対応する第１停止用の停止テーブル、第２停止用の停止テーブルおよび第３停止用の停止テーブルには、役抽選手段１０３の役抽選結果に対応して、異なる滑りコマ数が定められている。
【００６７】
そして、停止制御手段１０５は、役抽選手段１０３の役抽選結果と、各ストップスイッチ１３Ｌ，１３Ｍ，１３Ｒのうち、いずれのストップスイッチが何番目に操作されたのかという情報とに基づいて、複数の停止テーブル６７２の中から一の停止テーブル６７２を選択する。次に、この選択した一の停止テーブル６７２と、各リール１３Ｌ，１３Ｍ，１３Ｒのうち、操作されたストップスイッチに対応するリールのストップスイッチ操作時点での回転位置とから、操作されたストップスイッチに対応するリールの滑りコマ数を決定する。
【００６８】
ここで、滑りコマ数が０と決定されれば、直ちにリールの回転を停止させる。すなわち、滑りコマ数が０と決定されると、ストップスイッチが操作されたときに表示窓１１の上段に表示されていた図柄は、そのまま表示窓１１の上段に停止表示される。また、滑りコマ数が１と決定されれば、１コマ分だけリールを回転させて停止させる。すなわち、滑りコマ数が１と決定されると、ストップスイッチが操作されたときに表示窓１１の上段に表示されていた図柄は、リールの回転方向に１コマずれて、表示窓１１の中段に停止表示される。
【００６９】
また、停止制御手段１０５は、役抽選手段１０３の役抽選結果が「ハズレ」以外であれば、役抽選結果に基づいて選択された停止テーブル６７２と、各ストップスイッチ２１Ｌ，２１Ｍ，２１Ｒが操作されたときの各リール１３Ｌ，１３Ｍ，１３Ｒの回転位置とから、当選した役に入賞するように各リール１３Ｌ，１３Ｍ，１３Ｒの滑りコマ数を決定して、各リール１３Ｌ，１３Ｍ，１３Ｒの停止制御を行う。また、停止制御手段１０５は、役抽選手段１０３による役抽選結果がハズレであれば、この役抽選結果に基づいて選択された停止テーブル６７２と、各ストップスイッチ２１Ｌ，２１Ｍ，２１Ｒが操作されたときの各リール１３Ｌ，１３Ｍ，１３Ｒの回転位置とから、複数の役のいずれにも入賞しないように各リール１３Ｌ，１３Ｍ，１３Ｒの滑りコマ数を決定して、各リール１３Ｌ，１３Ｍ，１３Ｒの停止制御を行う。
【００７０】
ところで、滑りコマ数に上限が設けられている場合がある。このような場合、各リール１３Ｌ，１３Ｍ，１３Ｒがそれぞれ所定の回転位置にあるタイミングで各ストップスイッチ２１Ｌ，２１Ｍ，２１Ｒが操作されなければ、たとえ役抽選手段１０３による役抽選結果がいずれかの役への当選であっても、入賞ライン上に当選した役に対応した入賞態様でリール１３Ｌ，１３Ｍ，１３Ｒを停止することができない。したがって、停止制御手段１０５は、役抽選手段１０３の役抽選結果に基づいて、各リール１３Ｌ，１３Ｍ，１３Ｒがそれぞれ所定の回転位置にあるタイミングでストップスイッチ２１Ｌ，２１Ｍ，２１Ｒが操作されることを条件にして、表示窓１１に表示される図柄が当選した役に対応した入賞態様で停止表示されるようにリール１３Ｌ，１３Ｍ，１３Ｒを停止制御する。
【００７１】
なお、本実施の形態では、役抽選手段１０３の役抽選結果として複数の役に同時に当選する重複当選だった場合、予め定めた優先順位にて図柄を停止させるよう、停止テーブルが定められている。すなわち、図６に示す各当選役グループ「左ベル」「中ベル」「右ベル」のいずれかに当選することにより、複数の役に同時に当選している場合に、各ストップスイッチ２１Ｌ，２１Ｍ，２１Ｒの操作順序に対応して、優先的に入賞ライン上に揃える役が異なるように、停止テーブル６７２に滑りコマ数が定められている。
【００７２】
具体的には、図６に示すように、例えば役抽選手段１０３による役抽選結果が当選役グループ「左ベル」に当選であった場合に、最初に左ストップスイッチ２１Ｌに対して操作が行われると、最も遊技者に有利である役「中段ベル」に対応した図柄が入賞ライン上に揃った状態で表示されるように各リール１３Ｌ，１３Ｍ，１３Ｒが停止制御手段１０５により停止制御される。その一方で、最初に左ストップスイッチ２１Ｌに対して操作が行われないと、「中段ベル」に対応した図柄が入賞ライン上に揃った状態で表示されることはない。すなわち、当選した当選役グループ（「左ベル」「中ベル」「右ベル」）に対応して予め設定された操作順序でストップスイッチ２１Ｌ，２１Ｍ，２１Ｒが操作されない限り、当選役グループに含まれる遊技者に最も有利な役に対応した表示態様で図柄が表示されることはない。
【００７３】
なお、この実施形態では、次のようにして各リール１３Ｌ，１３Ｍ，１３Ｒは停止制御手段１０５により停止制御される。例えば、役抽選手段１０３による役抽選結果が当選役グループ「左ベル」への当選であった場合に、１回目に操作されたストップスイッチの種類に応じて、対応するリールにおいて、入賞する当選役の種類が最も多い図柄が優先して入賞ライン上に停止表示される。例えば、１回目に左ストップスイッチ２１Ｌが操作された場合には、「Ｂｅｌｌ」の図柄が入賞ライン上に停止表示されれば、当選役グループ「左ベル」に含まれる全ての当選役（「中段ベル」「一枚役１」〜「一枚役４」）に入賞可能となるので、図柄「Ｂｅｌｌ」が入賞ライン上に停止表示されるように停止制御される。
【００７４】
一方、１回目に中ストップスイッチ２１Ｍが操作された場合には、「Ｒ１」の図柄が入賞ライン上に停止表示されれば、当選役グループ「左ベル」に含まれる２種類の当選役（「一枚役１」「一枚役２」）に入賞可能となり、「Ｒ２」の図柄が入賞ライン上に停止表示されれば、当選役グループ「左ベル」に含まれる２種類の当選役（「一枚役３」「一枚役４」）に入賞可能となる。これに対し、「Ｂｅｌｌ」の図柄が入賞ライン上に停止表示されてしまうと、入賞可能となるのは、当選役グループ「左ベル」に含まれる１種類の当選役（「中段ベル」）のみとなる。したがってこの場合、図柄「Ｂｅｌｌ」が入賞ライン上に停止表示されるように中リール１３Ｍが停止制御されることはなく、中ストップスイッチ２１Ｍの操作タイミングに応じて、図柄「Ｒ１」「Ｒ２」のいずれかが入賞ライン上に停止表示されるように中リール１３Ｍが停止制御される。
【００７５】
また、１回目に右ストップスイッチ２１Ｌが操作された場合には、「Ｒ１」の図柄が入賞ライン上に停止表示されれば、当選役グループ「左ベル」に含まれる２種類の当選役（「一枚役１」「一枚役３」）に入賞可能となり、「Ｒ２」の図柄が入賞ライン上に停止表示されれば、当選役グループ「左ベル」に含まれる２種類の当選役（「一枚役２」「一枚役４」）に入賞可能となる。これに対し、「Ｂｅｌｌ」の図柄が入賞ライン上に停止表示されてしまうと、入賞可能となるのは、当選役グループ「左ベル」に含まれる１種類の当選役（「中段ベル」）のみとなる。したがってこの場合、図柄「Ｂｅｌｌ」が入賞ライン上に停止表示されるように右リール１３Ｒが停止制御されることはなく、右ストップスイッチ２１Ｒの操作タイミングに応じて、図柄「Ｒ１」「Ｒ２」のいずれかが入賞ライン上に停止表示されるように右リール１３Ｒが停止制御される。
【００７６】
次に、各ストップスイッチ２１Ｌ，２１Ｍ，２１Ｒの２回目の操作以降は、すでに停止表示されている図柄との組み合わせで、メダルの払出枚数が最も多い当選役に入賞するように、各リール１３Ｌ，１３Ｍ，１３Ｒが停止制御手段１０５により停止制御される。例えば、１回目に左ストップスイッチ２１Ｌが操作された場合には、図柄「Ｂｅｌｌ」が入賞ライン上に停止表示されており、当選役「中段ベル」「一枚役１」〜「一枚役４」のいずれにも入賞可能である。したがって、入賞したときのメダルの払出枚数が最も多い当選役「中段ベル」に入賞するように、中・右リール１３Ｍ，１３Ｒが停止制御手段１０５により停止制御される。
【００７７】
また、１回目に中ストップスイッチ２１Ｍが操作された場合には、図柄「Ｒ１」「Ｒ２」のいずれかが入賞ライン上に停止表示されており、「一枚役１」〜「一枚役４」のいずれかに入賞可能である。このとき、「一枚役１」〜「一枚役４」のいずれに入賞したときのメダルの払出枚数も全て同数（１枚）であるので、左・右ストップスイッチ２１Ｌ，２１Ｒの操作タイミングに応じて、「一枚役１」〜「一枚役４」のいずれかに入賞するように、左・右リール１３Ｌ，１３Ｒが停止制御手段１０５により停止制御される。
【００７８】
また、１回目に右ストップスイッチ２１Ｒが操作された場合には、図柄「Ｒ１」「Ｒ２」のいずれかが入賞ライン上に停止表示されており、「一枚役１」〜「一枚役４」のいずれかに入賞可能である。このとき、「一枚役１」〜「一枚役４」のいずれに入賞したときのメダルの払出枚数も全て同数（１枚）であるので、左・中ストップスイッチ２１Ｌ，２１Ｍの操作タイミング応じて、「一枚役１」〜「一枚役４」のいずれかに入賞するように、左・中リール１３Ｌ，１３Ｍが停止制御手段１０５により停止制御される。
【００７９】
そして、同様にして、例えば役抽選手段１０３による役抽選結果が当選役グループ「中ベル」に当選であった場合に、最初に中ストップスイッチ２１Ｍに対して操作が行われると、最も遊技者に有利である役「中段ベル」に対応した図柄が入賞ライン上に揃った状態で表示されるように各リール１３Ｌ，１３Ｍ，１３Ｒが停止制御手段１０５により停止制御される。また、同様にして、例えば役抽選手段１０３による役抽選結果が当選役グループ「右ベル」に当選であった場合に、最初に右ストップスイッチ２１Ｒに対して操作が行われると、最も遊技者に有利である役「中段ベル」に対応した図柄が入賞ライン上に揃った状態で表示されるように各リール１３Ｌ，１３Ｍ，１３Ｒが停止制御手段１０５により停止制御される。
【００８０】
なお、「中段ベル」に入賞可能な状態の場合には、どのようなタイミングでストップスイッチ２１Ｌ，２１Ｍ，２１Ｒが操作されても、「中段ベル」に係る図柄が必ず入賞ライン上に揃うように左・中・右リール１３Ｌ，１３Ｍ，１３Ｒの図柄が配置されているため、必ず「中段ベル」に入賞する。すなわち、当選グループ「左ベル」「中ベル」「右ベル」のいずれかに当選した場合に、各当選役グループそれぞれに予め設定されている遊技者に有利な操作態様で各ストップスイッチ２１Ｌ，２１Ｍ，２１Ｒが遊技者により操作されれば、各ストップスイッチ２１Ｌ，２１Ｍ，２１Ｒがどのようなタイミングで操作されても、「中段ベル」に対応した図柄が入賞ライン上に揃うように各リール１３Ｌ，１３Ｍ，１３Ｒが停止制御手段１０５により停止制御される。
【００８１】
（７）図柄判定手段１０６
図柄判定手段１０６は、リール検出手段１０４により検出された各リール１３Ｌ，１３Ｍ，１３Ｒそれぞれの回転位置に基づき、停止制御手段１０５により停止制御されて停止した各リール１３Ｌ，１３Ｍ，１３Ｒによる各図柄の表示態様が、予め定められた表示態様であるかどうかの判定を行うものである。
【００８２】
具体的には、図柄判定手段１０６は、図５の役「ＢＢ」「ＲＢ」に示す表示態様で図柄が入賞ライン上に揃うと、特別役入賞と判定する。また、図柄判定手段１０６は、図５の「中段ベル」「一枚役１」〜「一枚役１２」「強チェリー」「弱チェリー」「強スイカ」「弱スイカ」に示す表示態様で図柄が入賞ライン上に揃うと、小役入賞と判定する。また、図柄判定手段１０６は、図５の「リプレイ１」〜「リプレイ８」に示す表示態様で図柄が入賞ライン上に揃うと、再遊技役入賞と判定する。
【００８３】
（８）払出制御手段１０７
払出制御手段１０７は、図柄判定手段１０６による判定結果に基づき、遊技者に所定の利益を付与するものである。この実施形態では、払出制御手段１０７は、図柄判定手段１０６により、複数の役のいずれかに入賞したと判定されたときに、メダル払い出しのある入賞であれば、クレジットメダルの貯留枚数が上限値（この実施形態では例えば５０枚）に達した後は、ホッパーユニット４３を動作させて、入賞した役に対応した払出数だけメダルを払い出すことにより、遊技者に利益を付与する。また、払出制御手段１０７は、クレジットメダルの貯留枚数が上限値に達するまでは、メダル払い出しとして、ホッパーユニット４３の動作に代えて上記払出数だけクレジットメダルを増加させる。
【００８４】
また、払出制御手段１０７は、図柄判定手段１０６により再遊技役に入賞したと判定されたときに、規定数（３枚）のメダルが投入されたものとして次遊技の入賞ラインを有効とする。
【００８５】
（９）メダル制御手段１０８
メダル制御手段１０８は、メダルセレクタ４８の動作を制御することにより、メダル受入可と受入不可とを切換えるものである。
【００８６】
（１０）特別遊技制御手段１０９
特別遊技制御手段１０９は、遊技者に対して報知演出が実行される特別遊技での遊技を制御するものであり、変更パターン判定手段１０９ａ、抽選状態決定手段１０９ｂ、抽選状態移行抽選手段１０９ｃ、特別遊技抽選状態移行手段１０９ｄ、特別遊技実行抽選手段１０９ｅ、特別遊技実行手段１０９ｆを備える。
【００８７】
特別遊技としては、例えば、役抽選手段１０３の役抽選結果を遊技者に報知する遊技であるアシストタイム（ＡＴ）遊技や、通常遊技よりも再遊技役への当選率が高く設定されたリプレイタイム遊技とＡＴ遊技とが組み合わされたアシストリプレイタイム（ＡＲＴ）遊技などがある。本実施形態では、特別遊技の一例として、ＡＴ遊技が採用されている。以下、参考として、特別遊技の態様について説明する。
【００８８】
「ＡＴ遊技」は、役抽選手段１０３の抽選結果を遊技者に報知する遊技である。すなわち、ＡＴ遊技中は、役抽選手段１０３の抽選結果が、左・中・右リール１３Ｌ，１３Ｍ，１３Ｒの停止操作前に遊技者に告知される。役抽選結果の報知は、例えば、液晶表示器２７に、役抽選結果に対応した図柄を表示することによって行うことができる。また、役抽選結果が、当選役グループ（ベルグループ）のいずれかである場合には、最も遊技者に有利な当選役「中段ベル」に入賞するように、各ストップスイッチ２１Ｌ，２１Ｍ，２１Ｒの操作順を例えば液晶表示器２７に表示することで行うことができる。このように左・中・右リール１３Ｌ，１３Ｍ，１３Ｒの停止操作前に役抽選結果を報知すると、遊技者は、いずれの図柄を入賞ラインに揃えればよいか、あるいは、どの操作順序でストップスイッチ２１Ｌ，２１Ｍ，２１Ｒを操作すればよいかが分かる。したがって、役抽選手段１０３による抽選結果が、予め設定された当選役に当選した場合には、当該当選役への入賞が容易となり、メダルの獲得枚数を増加させることができる。
【００８９】
「ＡＲＴ遊技」は、ＡＴ遊技とリプレイタイム遊技とが組み合わされた遊技である。ＡＲＴ遊技中は、通常遊技よりも、再遊技役の当選確率が高く設定されているため、役抽選手段１０３の抽選結果がハズレとなる割合が低い。また、小役（「ベル」、「強チェリー」「弱チェリー」「強スイカ」「弱スイカ」に当選した場合は、ＡＴ遊技と同様に、当選小役に対応する図柄や、「中段ベル」への入賞となる各ストップスイッチ２１Ｌ，２１Ｍ，２１Ｒの操作順が液晶表示器２７に表示されるため、当選役への入賞が容易になる。したがって、ＡＴ遊技と同様に、メダルの獲得枚数を増加させることができる。
【００９０】
特別遊技は、通常遊技中に特別遊技実行抽選手段１０９ｅによる抽選に当選した場合に実行される。そして、規定ゲーム数（例えば、５０ゲーム）の消化により終了するように構成されている（非ＡＴへの移行）。また、この実施形態では、通常遊技および特別遊技それぞれは、特別遊技の実行期待度が異なる複数の抽選状態（本発明の「特別遊技抽選状態」に相当）を有する。具体的には、この実施形態では、通常遊技および特別遊技それぞれで、「低確率状態」および「高確率状態」の抽選状態を有している。ここで、通常遊技の「高確率状態」は、「低確率状態」より特別遊技への移行抽選に当選し易い状態に設定される。また、特別遊技の「高確率状態」は、「低確率状態」よりも特別遊技の遊技数の増加（いわゆる、「上乗せ」）抽選に当選し易い状態に設定されている。したがって、特別遊技の実行期待度とは、通常遊技中では特別遊技への移行の期待度、特別遊技中では、特別遊技の継続期待度に相当する。
【００９１】
ａ）変更パターン判定手段１０９ａ
変更パターン判定手段１０９ａは、設定変更手段１０１における所定の設定変更操作があった場合に、その操作前後の設定変更パターンを判定するものである。具体的には、設定値記憶手段６５１により記憶されている設定値（設定変更前の値）と、設定変更後の設定値とを比較し、設定変更前後で設定値が同一であるか、あるいは、異なるかを判定する。なお、変更パターン判定手段１０９ａは、前記設定変更操作があった場合に、その操作前後の設定変更パターンが、「上位設定値への変更」、「下位設定値への変更」および「同一設定への変更」のうちのいずれかの設定変更パターンであるかを判定するようにしてもよい。
【００９２】
ｂ）抽選状態決定手段１０９ｂ
抽選状態決定手段１０９ｂは、特別遊技の実行期待度がそれぞれ異なる複数の抽選状態（特別遊技抽選状態）のいずれに移行させるかを、変更パターン判定手段１０９ａによる判定結果に基づいて決定するものである。このとき、抽選状態決定手段１０９ｂは、ＲＯＭ６７に記憶された設定変更用抽選テーブル６７３を有し、変更パターン判定手段１０９ａの判定結果に応じた設定変更用抽選テーブル６７３を用いた抽選により、各抽選状態のいずれに移行させるかを決定する。この実施形態では、設定変更用抽選テーブル６７３として同一設定変更用抽選テーブル６７３ａと、異設定変更用抽選テーブル６７３ｂとが設けられており、例えば、変更パターン判定手段１０９ａの判定結果が「異設定への変更」であった場合、抽選状態決定手段１０９ｂは、異設定変更用抽選テーブル６７３ｂを使用して抽選を行う。つまり、この場合の抽選状態決定手段１０９ｂは、異設定変更用抽選テーブル６７３ｂと、乱数抽出手段１０３ｂが抽出した抽選状態抽選用の乱数値とを用いた抽選により、遊技状態（抽選状態）を「高確率状態」および「低確率状態」のいずれに移行させるかを決定する。
【００９３】
なお、設定変更用抽選テーブル６７３の構成は、自由に構築することができる。例えば、異設定への変更の場合（異設定変更用抽選テーブル６７３ｂ）を同一設定への変更の場合（同一設定変更用抽選テーブル６７３ａ）よりも、「高確率状態」に移行し易いように構成してもよい。また、異設定への変更の場合は、所定の確率で「高確率状態」に移行するようにし、同一設定への変更の場合は、常に「低確率状態」に移行するように構成してもよい。
【００９４】
また、抽選状態決定手段１０９ｂによる抽選状態の決定は、上記した抽選に限らず、例えば、変更パターン判定手段１０９ａによる判定結果が同一設定に変更する設定変更パターンである場合は「低確率状態」、異設定に変更する設定変更パターンである場合は「高確率状態」というように一義的に決定するようにしてもよい。
【００９５】
ｃ）抽選状態移行抽選手段１０９ｃ
抽選状態移行抽選手段１０９ｃは、抽選状態決定手段１０９ｂにより抽選状態が「低確率状態」か「高確率状態」かのいずれかに決定された後、遊技状態（抽選状態）を他の遊技状態（抽選状態）へ移行（遷移）させるか否かを抽選により決定するものである。この場合、抽選状態移行抽選手段１０９ｃは、現在の遊技状態（抽選状態）と役抽選手段１０３による役抽選結果とのに基づいて遊技状態（抽選状態）を移行するか否かを決定する。
【００９６】
例えば、抽選状態移行抽選手段１０９ｃは、遊技状態が「低確率状態」である場合は、所定の昇格役に当選した際の昇格抽選に当選した場合に「高確率状態」に移行させると決定する。また、遊技状態が「高確率状態」である場合は、所定の転落役に当選した際の転落抽選に当選した場合に「低確率状態」に移行させると決定する。なお、前記所定の昇格役および転落役は、適宜、設定できるものであり、例えば、昇格役を「強チェリー」、「弱チェリー」、「強スイカ」、「弱スイカ」のように複数設定してもよいし、これらの各役に応じて昇格抽選の当選率が異なるように設定してもよい。転落役についても同様である。また、昇格役または転落役として、「ハズレ」を設定してもよい。なお、このような抽選状態移行抽選手段１０９ｃによる移行抽選は、遊技状態（抽選状態）それぞれに設けられた移行抽選テーブル（図示せず）を用いて行うことができる。また、この実施形態では、抽選状態移行抽選手段１０９ｃによる移行抽選は、通常遊技および特別遊技の実行中それぞれで行うように構成されている。
【００９７】
ｄ）特別遊技抽選状態移行手段１０９ｄ
特別遊技抽選状態移行手段１０９ｄは、抽選状態決定手段１０９ｂにより決定された遊技状態（抽選状態）に移行させるとともに、当該移行後に抽選状態移行抽選手段１０９ｃにより他の遊技状態（抽選状態）に移行させると決定された場合は、当該他の遊技状態（抽選状態）に移行させるものである。
【００９８】
ｅ）特別遊技実行抽選手段１０９ｅ
特別遊技実行抽選手段１０９ｅは、特別遊技抽選状態移行手段１０９ｄにより移行された遊技状態（抽選状態）などに基づき、特別遊技を実行するか否かを抽選により決定するものである。また、この実施形態では、特別遊技実行抽選手段１０９ｅは、通常遊技の場合、役抽選手段１０３による役抽選結果が「強チェリー」「弱チェリー」「強スイカ」「弱スイカ」のいずれかであった場合に特別遊技を実行するか否かを抽選するように構成されている。
【００９９】
具体的には、図７に示すように、ＲＯＭ６７には、通常遊技時「低確率状態」用（図７（ａ））、通常遊技時「高確率状態」用（図７（ｂ））、特別遊技時「低確率状態」用（図７（ｃ））、特別遊技時「高確率状態」用（図７（ｄ））の４種類の特別遊技実行抽選テーブル６７４が格納されている。通常遊技時「低確率状態」用および通常遊技時「高確率状態」用の特別遊技実行抽選テーブル６７４には、特別遊技を実行するか否かの抽選役となる「強チェリー」「弱チェリー」「強スイカ」「弱スイカ」それぞれに対して抽選の当否を決定するための抽選データが各設定（設定１〜設定６）毎に設けられている。
【０１００】
そして、特別遊技実行抽選手段１０９ｅは、通常遊技の実行中の場合、特別遊技抽選状態移行手段１０９ｄにより移行された遊技状態（抽選状態：通常遊技時「低確率状態」用または通常遊技時「高確率状態」）用の特別遊技実行抽選テーブル６７４（図７（ａ）または（ｂ））を選択した上で、役抽選手段１０３による役抽選結果と設定変更手段１０１により変更された現在の設定値とに対応する抽選データを取得する。そして、当該抽選データと乱数抽出手段１０３ｂにより抽出された特別遊技実行抽選用の乱数値（１〜１２８）との比較により、特別遊技を実行するか否かを決定する。つまり、特別遊技実行抽選手段１０９ｅは、特別遊技抽選状態移行手段１０９ｄにより移行された遊技状態（抽選状態）、役抽選手段１０３による役抽選結果および設定値記憶手段６５１により記憶された設定値に基づいて特別遊技を実行するか否かを決定する。
【０１０１】
例えば、通常遊技時の遊技状態（抽選状態）が「低確率状態」、および、スロットマシン１の設定値が「１」であって、役抽選手段１０３による役抽選結果が「強チェリー」である場合は、抽選値（２１）／母数（１２８）×１００[％]の確率で特別遊技を実行するか否かの抽選に当選するように通常遊技時「低確率状態」用の特別遊技実行抽選テーブル６７４が構成されている。なお、各特別遊技実行抽選テーブル６７４それぞれで、各設定共通の抽選データで構成されていてもよい。すなわち、特別遊技実行抽選手段１０９ｄが、設定値には関係なく、特別遊技抽選状態移行手段１０９ｄにより移行された遊技状態（抽選状態）および役抽選手段１０３による役抽選結果に基づいて、特別遊技を実行するか否かを決定するように構成してもよい。
【０１０２】
なお、この実施形態では、特別遊技実行抽選手段１０９ｅにより特別遊技を実行すると決定された場合に、特別遊技実行手段１０９ｆによりフラグ格納手段６５２に格納されるＡＴ期間中フラグ（特別遊技期間中フラグ）の状態がＯＮに設定される。また、フラグ格納手段６５２に格納されるＡＴ期間中フラグの状態は、予め設定された回数（例えば、５０回の遊技（ゲーム））のＡＴ遊技が実行されるとＯＦＦに設定される。このようなＡＴ期間中フラグの状態は、フラグ格納手段６５２を形成する各ビットのうちのいずれかをＡＴ期間中フラグに割り当てて、当該ビットのＯＮ、ＯＦＦを設定することにより、フラグ格納手段６５２に格納することができる。ＡＴ遊技では、当選役グループ「左ベル」「中ベル」「右ベル」のいずれかに当選したときに、各当選役グループに予め設定されている遊技者に有利な操作態様（操作順序）が遊技者に対して報知される。
【０１０３】
また、特別遊技実行抽選手段１０９ｅは、特別遊技の実行中において、役抽選手段１０３による役抽選結果が「強チェリー」「弱チェリー」「強スイカ」「弱スイカ」のいずれかであった場合には、特別遊技全体の遊技数を増やすか否かの抽選（いわゆる、「上乗せ抽選」）を行う。この場合も、通常遊技と同様に、特別遊技実行抽選手段１０９ｅは、その時の遊技状態（抽選状態：「低確率状態」または「高確率状態」）用の特別遊技実行抽選テーブル６７４（図７（ｃ）または（ｄ））を選択して上乗せ抽選を行う。具体的には、選択した特別遊技実行抽選テーブル６７４から、役抽選手段１０３による役抽選結果と設定値記憶手段６５１により記憶された現在の設定値とに対応する抽選データを取得し、当該抽選データと乱数抽出手段１０３ｂにより抽出された特別遊技実行抽選用の乱数値（１〜１２８）との比較により、「上乗せ抽選」に当選したか否かを決定する。なお、「上乗せ抽選」に当選した場合は、予め規定された遊技数（例えば、５０ゲーム）に対して、所定の遊技数（ゲーム数）だけ特別遊技が増加するため、遊技者にとってさらに有利となる。
【０１０４】
ｆ）特別遊技実行手段１０９ｆ
特別遊技実行手段１０９ｆは、特別遊技実行抽選手段１０９ｅにより特別遊技を実行すると決定された場合に、特別遊技を実行するものである。具体的には、特別遊技実行手段１０９ｆは、特別遊技実行抽選手段１０９ｅにより特別遊技を実行すると決定された場合、フラグ格納手段６５２に格納されるＡＴ期間中フラグの状態をＯＮに設定する。
【０１０５】
（１１）コマンド作成手段１１０
コマンド作成手段１１０は、役抽選手段１０３による抽選処理における役抽選結果に関する情報、各ストップスイッチ２１Ｌ，２１Ｍ，２１Ｒ、スタートスイッチ１９等の遊技者により操作される操作器具の操作に関する情報、特別遊技を実行しているか否かを示す情報、特別遊技中のゲーム数増加（いわゆる、「上乗せ」）の抽選結果を示す情報、特別遊技抽選状態に関する情報などの種々の情報を、遊技情報としてサブ制御基板７３（サブＣＰＵ７１）に送信するためのコマンドを生成するものである。そして、コマンド作成手段１１０により生成されたコマンドは、後述するようにサブ制御コマンド送信手段１１１によりサブ制御基板７３に送信される。
【０１０６】
この実施形態では、役抽選手段１０３による抽選が実行されたときに、抽選の結果を識別できるコマンドとして、「０」〜「１１」を含むコマンドを作成する。後述するように、サブ制御基板７３では、送られてきたコマンドに基づき、実行する演出を選択する。
【０１０７】
そして、コマンド作成手段１１０は、通常遊技の実行中に、「ベルグループ」のいずれかに当選した場合には、「ベルグループ」に当選したことは識別できるが、当選した当選役グループ（「左ベル」「中ベル」「右ベル」）の種類は識別できないコマンドを作成する。また、コマンド作成手段１１０は、特別遊技（ＡＴ遊技）の実行中に、「ベルグループ」のいずれかに当選した場合には、当選した当選役グループ（「左ベル」「中ベル」「右ベル」）の種類を示すデータが含まれて該当選役グループを識別可能なコマンドを作成する。具体的には、図６に示すように、通常遊技中には、当選役グループ「左ベル」「中ベル」「右ベル」のいずれに当選した場合であっても、「ベルグループ」のうちのいずれの当選役グループかを識別できないように同じ「１番」というコマンドを作成する。一方、コマンド作成手段１１０は、特別遊技中に「左ベル」に当選した場合は「２番」のコマンドを、「中ベル」に当選した場合は「３番」のコマンドを、「右ベル」に当選した場合は「４番」のコマンドを作成する。すなわち、コマンド作成手段１１０は、役抽選手段１０３による役抽選結果が当選役グループ「左ベル」「中ベル」「右ベル」のいずれかである場合、特別遊技を実行している場合にのみ、当該当選役グループの各当選役のうち、遊技者に最も有利な当選役となる「中段ベル」の入賞に必要なストップスイッチ２１Ｌ，２１Ｍ，２１Ｒの操作態様を識別可能なコマンド（遊技情報）を作成する。
【０１０８】
なお、コマンド作成手段１１０は、それ以外の役抽選結果については、通常遊技中および特別遊技中のいずれであっても、同じコマンドを作成する。具体的には、「強チェリー」に当選した場合は「５番」のコマンドを、「弱チェリー」に当選した場合は「６番」のコマンドを、「強スイカ」に当選した場合は「７番」のコマンドを、「弱スイカ」に当選した場合には「８番」のコマンドを、「ＢＢ（ビッグボーナス）」に当選した場合は「９番」のコマンドを、「ＲＢ（レギュラーボーナス）」に当選した場合は「１０番」のコマンドを、「再遊技役（リプレイ）」に当選した場合は「１１番」のコマンドを作成する。なお、ハズレの場合は「０番」のコマンドを作成する。
【０１０９】
（１２）サブ制御コマンド送信手段１１１
サブ制御コマンド送信手段１１１（本発明の「送信手段」に相当）は、メイン制御基板６３からサブ制御基板７３へ、コマンド作成手段１１０により作成された種々の情報を含むコマンドを所定の遊技情報として一方通行で送信するものである。すなわち、サブ制御コマンド送信手段１１１は、コマンド作成手段１１０により作成された、設定変更手段１０１により変更された設定値の情報（設定値コマンド）、特別遊技（ＡＴ遊技）の実行抽選に当選したか否かを含む情報（ＡＴ当選コマンド）、ＡＴ遊技中の上乗せ抽選に当選したか否かを含む情報（ＡＴ当選コマンド）、特別遊技抽選状態（抽選状態）がいずれかを含む情報（ＡＴ抽選状態コマンド）、役抽選手段１０３の役抽選結果（当選役コマンド）、図柄判定手段１０６による図柄判定結果、各リール１３Ｌ，１３Ｍ，１３Ｒの回転・停止状態、払出制御手段１０７によるメダルの払出状態などの情報を含むコマンドをサブ制御基板７３へ送信する。
【０１１０】
上記したように、役抽選手段１０３の役抽選結果に関する情報（遊技情報）は、当選役コマンド「０番」〜「１１番」として、サブ制御基板７３に送信される。ここで、コマンド作成手段１１０は、役抽選結果が当選役グループ「左ベル」「中ベル」「右ベル」のいずれかであった場合、特別遊技の実行中の場合にのみ、「中段ベル」の入賞に必要なストップスイッチ２１Ｌ，２１Ｍ，２１Ｒの操作態様を識別可能なコマンドを作成する。そのため、サブ制御コマンド送信手段１１１は、役抽選結果が、当選役グループ「左ベル」「中ベル」「右ベル」のいずれかへの当選であった場合、特別遊技を実行している場合にのみ、当該当選役グループに含まれる各当選役のうちで遊技者に最も有利な当選役「中段ベル」の入賞に必要な情報（ストップスイッチ２１Ｌ，２１Ｍ，２１Ｒの操作態様）をサブ制御基板７３に送信することになる。
【０１１１】
また、サブ制御コマンド送信手段１１１は、コマンド作成手段１１０により作成された、投入センサ５３による投入メダルの検出状態、ベットスイッチ１５および最大ベットスイッチ１７の操作状態などを表す情報を含むコマンドをサブ制御基板７３に送信する。また、サブ制御コマンド送信手段１１１は、コマンド作成手段１１０により作成された、スタートスイッチ１９およびストップスイッチ２１Ｌ，２１Ｍ，２１Ｒなどの各種スイッチが遊技者により操作されたことを示す情報を含むコマンドもサブ制御基板７３に送信する。
【０１１２】
なお、役抽選結果を示す当選役コマンドについて、サブ制御コマンド送信手段１１１が当選役「左ベル」「中ベル」「右ベル」のいずれかへの当選を示すコマンドを送信する際、特別遊技の実行の有無に関わらず、常に、「中段ベル」の入賞に必要なストップスイッチ２１Ｌ，２１Ｍ，２１Ｒの操作態様を識別可能なコマンド（「２番」〜「４番」）を送信する構成であってもかまわない。この場合、サブ制御コマンド送信手段１１１は、当該識別可能なコマンド（「２番」〜「４番」）を遊技情報としてサブ制御基板７３に送信するとともに、特別遊技を実行しているか否かに関する情報を含む遊技情報をサブ制御基板７３に送信する。そして、これらの遊技情報を受信したサブ制御基板７３側で、特別遊技を実行している場合にのみ、「中段ベル」の入賞に必要なストップスイッチ２１Ｌ，２１Ｍ，２１Ｒの操作態様を遊技者に報知する報知演出を実行するよう制御すればよい。
【０１１３】
（サブ制御基板）
次に、サブ制御基板７３について詳細に説明する。サブ制御基板７３は、メイン制御基板６３から送信されたコマンドを受信し、メイン制御基板６３の動作や状態に応じた演出を行うものである。図８に示すように、サブ制御基板７３は、メモリ７５に格納されたプログラムを実行することにより実現される種々の機能や、ハードウェアが制御されることにより実現される種々の機能を備えている。
【０１１４】
（１３）サブ制御コマンド受信手段２００
サブ制御コマンド受信手段２００は、メイン制御基板６３のサブ制御コマンド送信手段１１１により送信された種々の情報を含むコマンドを遊技情報として受信するものである。サブ制御コマンド受信手段２００は、メイン制御基板６３から送信されるコマンドを受信し、コマンドを受信すれば、コマンドの種類に応じてサブ制御基板７３が備える各機能に通知を行う。
【０１１５】
（１４）演出選択手段２０１
演出選択手段２０１は、サブ制御コマンド受信手段２００が受信したコマンドに応じて、演出の内容を決定するものである。具体的には、遊技の進行や、役抽選手段１０３の役抽選結果などに対応して予め設定された演出パターンから、液晶表示器２７に表示される動画を決定したり、スピーカ３１Ｌ，３１Ｒから流れる音楽や音声を決定したり、上部ランプ部３３や下部ランプ部３７Ｌ，３７Ｒの光源を一斉にあるいは個別に点滅するなどの演出を決定する。
【０１１６】
通常遊技および特別遊技での演出を例として説明すると、この実施形態では、サブ制御基板７３のメモリ７５には、通常遊技時「低確率状態」、通常遊技時「高確率状態」、特別遊技時「低確率状態」、特別遊技時「高確率状態」それぞれの遊技状態（抽選状態）に応じて個別に設けられた複数の演出選択テーブル群が格納されている。各演出選択テーブル群には、複数の演出選択テーブル（図示せず）が設定されており、各演出選択テーブルにはさらに複数の演出群が設定されている。ここで、演出選択手段２０１は、サブ制御コマンド受信手段２００が受信した遊技状態（抽選状態）に関する情報および特別遊技を実行しているか否かに関する情報とを含む遊技情報（ＡＴ抽選状態コマンド）に基づいて、当該ＡＴ抽選状態コマンドに応じた演出選択テーブル群を決定する。そして、通常遊技の実行中での特別遊技を実行するか否かの抽選結果に関する情報または特別遊技の実行中での上乗せ抽選結果に関する情報を含む遊技情報（ＡＴ当選コマンド）に基づいて、決定した演出選択テーブル群の中から１つの演出選択テーブルを選択する。最後に、役抽選手段１０３による役抽選結果に関する情報を含む遊技情報（当選役コマンド）に基づいて、選択した演出選択テーブルの中から、１つの演出を実行演出として選択する。
【０１１７】
具体的には、演出選択手段２０１は、受信したコマンドが特別遊技の実行中に対応したものであれば遊技者に有利な操作態様がわかる報知演出を実行し、受信したコマンドが通常遊技の実行中に対応したものであれば遊技者に有利な操作態様がわからない演出を実行するよう決定する。例えば、演出選択手段２０１は、役抽選手段１０３の役抽選結果として「１番」のコマンドを受信した場合は、選択した演出選択テーブルに設定された演出群の中から「ベルグループ」のいずれかの当選役グループに当選したことはわかるが「左ベル」「中ベル」「右ベル」のいずれに当選したのかわからない一の演出を選択する。また、「２番」のコマンドを受信した場合は、選択した演出選択テーブルに設定された演出群の中から「左ベル」に当選したことがわかる演出や、最初に左ストップスイッチ２１Ｌを操作するよう促す一の演出（報知演出）を選択する。「３番」「４番」のコマンドを受信した場合も、それぞれ同様に演出を選択する。
【０１１８】
そして、演出選択手段２０１は、「２番」〜「４番」のコマンドを受信した場合、液晶表示器２７に各ストップスイッチ２１Ｌ，２１Ｍ，２１Ｒの操作順序を表示したり、スピーカ３１Ｌ，３１Ｒにより各ストップスイッチ２１Ｌ，２１Ｍ，２１Ｒの操作順序を音声により報知したり、各ストップスイッチ２１Ｌ，２１Ｍ，２１Ｒそれぞれに設けられたランプを所定順序で点滅させることにより各ストップスイッチ２１Ｌ，２１Ｍ，２１Ｒの操作順序を報知したり、各リール１３Ｌ，１３Ｍ，１３Ｒそれぞれに設けられたバックライトを所定順序で点滅させることにより、遊技者に有利な各ストップスイッチ２１Ｌ，２１Ｍ，２１Ｒの操作順序を報知したりする報知演出を演出内容として選択する。
【０１１９】
（１５）演出実行手段２０２
演出実行手段２０２は、演出選択手段２０１により選択された演出に応じた演出を実行するものであり、表示制御手段２０２ａと音声制御手段２０２ｂとを備える。
【０１２０】
ａ）表示制御手段２０２ａ
表示制御手段２０２ａは、演出選択手段２０１から送信された信号に含まれる情報に基づいて、液晶表示器２７に動画（画像）を表示したり、上部ランプ部３３や下部ランプ部３７Ｌ，３７Ｒなどの光源を一斉にあるいは個別に点滅したりするなどの演出を実行するものである。
【０１２１】
ｂ）音声制御手段２０２ｂ
音声制御手段２０２ｂは、演出選択手段２０１から送信された信号に含まれる情報に基づいて、スピーカ３１Ｌ，３１Ｒから音楽を流したり、音声を出力したりするなどの演出を実行するものである。
【０１２２】
なお、演出選択手段２０１による前記報知演出を選択する機能および演出実行手段２０２による当該報知演出を実行する機能が、本発明の「報知手段」に相当する。
【０１２３】
（動作）
次に、図９〜図１２を参照して、本実施形態における動作の一例について説明する。
【０１２４】
１．メイン制御処理
図９を参照してメイン制御処理について説明する。図９はメイン制御処理の一例を示すフローチャートである。なお、メイン制御処理はメイン制御基板６３において実行される処理である。
【０１２５】
スロットマシン１の電源がオンされれば、メイン制御基板６３が備えるＲＡＭ６５の状態がチェックされ、メモリにエラーが生じていないかどうかが判定されて、後述する初期設定処理が行われる（ステップＳ１）。
【０１２６】
次に、初期設定処理が終了すると、通常遊技へ移行して、規定数（３枚）のメダルが投入されたかどうかが判定され（ステップＳ２）、既定数のメダルが投入されるまで待機する（ステップＳ２でＮＯ）。規定数のメダルが投入されれば（ステップＳ２でＹＥＳ）、スタートスイッチ１９が操作されるまで待機し（ステップＳ３でＮＯ）、スタートスイッチ１９が操作されれば（ステップＳ３でＹＥＳ）、後述する役抽選処理が実行される（ステップＳ４）。
【０１２７】
そして、役抽選処理が終了すると、各リール１３Ｌ，１３Ｍ，１３Ｒの回転が開始され（ステップＳ５）、回転中の各リール１３Ｌ，１３Ｍ，１３Ｒそれぞれに対応する各ストップスイッチ２１Ｌ，２１Ｍ，２１Ｒのいずれかが操作されるまで待機し（ステップＳ６でＮＯ）、各ストップスイッチ２１Ｌ，２１Ｍ，２１Ｒのいずれかが操作されれば（ステップＳ６でＹＥＳ）、停止制御手段１０５によるリール回転の停止制御により、操作されたストップスイッチに対応するリールの回転が停止される（ステップＳ７）。
【０１２８】
そして、全てのリール１３Ｌ，１３Ｍ，１３Ｒの回転が停止されるまでステップＳ６、ステップＳ７の処理を繰返して実行し（ステップＳ８でＮＯ）、全てのリール１３Ｌ，１３Ｍ，１３Ｒが停止されれば（ステップＳ８でＹＥＳ）、図柄判定手段１０６により図柄の判定が行われる（ステップＳ９）。
【０１２９】
次に、図柄判定手段１０６による判定結果が、いずれかの当選役への入賞であれば、入賞態様に応じたメダルが払出制御手段１０７により払い出される（ステップＳ１０）。メダルが払い出されると、次遊技の準備状態（メダル投入の待ち状態）になり、以降、１遊技毎にステップＳ２〜ステップＳ１０の処理が繰り返される。
【０１３０】
２．初期設定処理
次に、図１０を参照して初期設定処理について説明する。なお、図１０は初期設定処理の一例を示すフローチャートである。
【０１３１】
まず、設定変更手段１０１により、設定キー（変更処理開始スイッチ５６）がＯＮ状態であるか否かが判定され（ステップＳ１００）、ＯＮ状態である場合（ステップＳ１００でＹＥＳ）は、設定記憶手段６５１に記憶された設定値が、ＲＡＭ６５の所定の記憶領域に仮設定値として記憶される（ステップＳ１０１）。また、設定キーがＯＦＦ状態である場合（ステップＳ１００でＮＯ）は、そのまま処理が終了する。
【０１３２】
ＲＡＭ６５に仮設定値が記憶されると、設定変更手段１０１によりリセットスイッチ（設定変更ボタン５２）がＯＮされたか否かが判定され（ステップＳ１０２）、ＯＮされたと判定されると（ステップＳ１０２でＹＥＳ）、前記所定の記憶領域に記憶された仮設定値に＋１した設定値を、新たな仮設定値として前記所定の記憶領域に記憶し直す（ステップＳ１０３）。次に、設定変更手段１０１によりスタートスイッチ１９がＯＮされたか否かが判定され（ステップＳ１０４）、スタートスイッチ１９がＯＮされるまで（ステップＳ１０４でＮＯ）、ステップＳ１０２およびステップＳ１０３の処理を繰り返す。すなわち、スタートスイッチ１９がＯＮされるまでは、リセットスイッチのＯＮ操作が１回ある度に前記所定の記憶領域の仮設定値が１つ増された状態で書き換えられる。なお、仮設定値が「６」の場合でリセットスイッチがＯＮ操作された場合は、仮設定値が「１」に戻される。また、ステップＳ１０２において、リセットスイッチがＯＮ操作されない場合（ステップＳ１０２でＮＯ）は、仮設定値を変更せず（記憶し直さず）に、スタートスイッチ１９がＯＮされるまで待機する。
【０１３３】
次に、スタートスイッチ１９がＯＮされると（ステップＳ１０４でＹＥＳ）、この時点（スタートスイッチ１９がＯＮされた時）で前記所定の記憶領域に記憶されている仮設定値が、設定変更前の設定値（設定値記憶手段６５１に記憶された設定値）と同一であるか否かが判定される（ステップＳ１０５）。
【０１３４】
ここで、仮設定値が、変更前の設定値と同一である場合（ステップＳ１０５でＹＥＳ）は、抽選状態決定手段１０９ｂによる同一設定変更用抽選テーブル６７３ａを用いた抽選で、通常遊技における遊技状態（抽選状態）を「低確率状態」および「高確率状態」のいずれに移行させるかが決定される（ステップＳ１０６）。一方、仮設定値が、変更前の設定値と異なる場合（ステップＳ１０５でＮＯ）は、抽選状態決定手段１０９ｂによる異設定変更用抽選テーブル６７３ｂを用いた抽選で、通常遊技における遊技状態（抽選状態）を「低確率状態」および「高確率状態」のいずれに移行させるかが決定される（ステップＳ１０９）。
【０１３５】
次に、抽選状態決定手段１０９ｂにより、移行させる遊技状態（抽選状態）が決定されると、前記所定の領域に記憶された仮設定値の値が、現在の設定値として設定値記憶手段６５１に記憶された設定値が書き換えられる（ステップＳ１０７）。そして、設定値記憶手段６５１に記憶し直された新たな設定値の情報を示す設定値コマンドがコマンド作成手段１１０により作成され、作成された当該設定値コマンドがサブ制御コマンド送信手段１１１によりサブ制御基板７３に送信されて処理が終了する（ステップＳ１０８）。
【０１３６】
３．役抽選処理
次に、図１１を参照して役抽選処理について説明する。なお、図１１は役抽選処理の一例を示すフローチャートである。
【０１３７】
まず、役抽選手段１０３より、乱数と役抽選テーブル６７１とを使用した役抽選処理により、ハズレを含む役抽選結果が決定される（ステップＳ２００）。次に、コマンド作成手段１１０により、フラグ格納手段６５２により格納されたＡＴ期間中フラグの状態がＯＮ状態であるか否かが判定され（ステップＳ２０１）、ＯＮ状態である場合（ステップＳ２０１でＹＥＳ）は、コマンド作成手段１１０により、ハズレを含む当選役に応じた当選役コマンド（ＡＴ遊技に応じた当選役コマンド）が作成される。具体的には、例えば、役抽選結果が当選役グループ「左ベル」「中ベル」「右ベル」のいずれかである場合は、遊技者に最も有利なストップスイッチ２１Ｌ，２１Ｍ，２１Ｒの操作態様（「中段ベル」が入賞する操作順序）を識別可能な当選役コマンド（図６の当選役コマンド「２番」〜「４番」）が作成される（ステップＳ２０２）。
【０１３８】
また、ＡＴ遊技中の場合は、その時の特別遊技抽選状態と役抽選結果とに基づいて特別遊技実行抽選手段１０９ｅにより、ＡＴ遊技の上乗せ抽選が行われ（ステップＳ２０３）、その結果を示す情報としてＡＴ当選コマンドがコマンド作成手段１１０により作成される（ステップＳ２０４）。なお、上乗せ抽選は、ＡＴ遊技中の特別遊技実行抽選テーブル６７４（図７（ｃ）または（ｄ））と、乱数抽出手段１０３ｂにより抽出された特別遊技実行抽選用の乱数とを使用した抽選により行われる。
【０１３９】
ステップＳ２０１に戻って、フラグ格納手段６５２により格納されたＡＴ期間中フラグがＯＦＦ状態である場合、コマンド作成手段１１０により、ハズレを含む当選役に応じた当選役コマンド（通常遊技に応じた当選役コマンド）が作成される。具体的には、例えば、役抽選結果が当選役グループ「左ベル」「中ベル」「右ベル」のいずれかである場合は、遊技者に最も有利なストップスイッチ２１Ｌ，２１Ｍ，２１Ｒの操作態様を識別不可能な当選役コマンド（図６の当選役コマンド「１番」）が作成される（ステップＳ２０２）。
【０１４０】
また、通常遊技の場合、その時の特別遊技抽選状態と役抽選結果とに基づいて特別遊技実行抽選手段１０９ｅにより、ＡＴ遊技を実行するか否かの抽選（ＡＴ抽選）が行われ（ステップＳ２１１）、その結果を示す情報としてＡＴ当選コマンドがコマンド作成手段１１０により作成される（ステップＳ２１２）。なお、ＡＴ遊技を実行するか否かの抽選は、通常遊技中の特別遊技実行抽選テーブル６７４（図７（ａ）または（ｂ））と、乱数抽出手段１０３ｂにより抽出された特別遊技実行抽選用の乱数とを使用した抽選により行われる。
【０１４１】
コマンド作成手段１１０により、上乗せ抽選結果またはＡＴ遊技を実行するか否かの抽選結果を示すＡＴ当選コマンドが作成された後は、抽選状態移行抽選手段１０９ｃにより、特別遊技抽選状態の移行抽選が行われる（ステップＳ２０５）。この移行抽選は、移行抽選時の抽選状態（「高確率状態」または「低確率状態」）と、役抽選結果とに基づく抽選（昇格抽選または転落抽選）により行われる。
【０１４２】
次に、コマンド作成手段１１０により、抽選状態移行抽選手段１０９ｃの抽選結果を示すＡＴ抽選状態コマンドが作成される（Ｓ２０６）。この実施形態では、ＡＴ抽選状態コマンドは、抽選状態移行抽選手段１０９ｃの抽選結果に加え、ＡＴ遊技の実行中であるか否かを識別可能なコマンドとして作成される。
【０１４３】
そして、役抽選結果を示す当選役コマンドのサブ制御基板７３への送信（ステップＳ２０７）、特別遊技実行抽選手段１０９ｅの抽選結果を示すＡＴ当選コマンドのサブ制御基板７３への送信（ステップＳ２０８）、抽選状態移行抽選手段１０９ｃの抽選結果を示すＡＴ抽選状態コマンドのサブ制御基板７３への送信（ステップＳ２０９）がそれぞれサブ制御コマンド送信手段１１１により行われて処理が終了する。
【０１４４】
４．演出選択処理
次に、図１２を参照して、演出選択処理について説明する。なお、図１２は演出選択処理の一例を示すフローチャートである。以下で説明する動作は、サブ制御基板７３において実行される処理である。
【０１４５】
まず、サブ制御コマンド受信手段２００が受信したＡＴ抽選状態コマンドに基づいて、演出選択手段２０１により、複数の演出選択テーブル群の中から一の演出選択テーブル群が決定される（ステップＳ３００）。例えば、ＡＴ遊技中の「高確率状態」を示すＡＴ抽選状態コマンドを受信した場合は、ＡＴ遊技時「高確率状態」用の演出選択テーブル群（図示せず）が演出選択手段２０１により決定される。
【０１４６】
次に、サブ制御コマンド受信手段２００が受信したＡＴ当選コマンドに基づいて、演出選択手段２０１により、決定された演出選択テーブル群の中から一の演出選択テーブルが選択される（ステップＳ３０１）。例えば、ＡＴ当選コマンドがＡＴ遊技の上乗せ抽選に当選する旨を示すものである場合には、上乗せ抽選当選用の複数の演出が設定された演出選択テーブルが選択される。
【０１４７】
次に、サブ制御コマンド受信手段２００が受信した当選役コマンドに基づいて、演出選択手段２０１により、選択された演出選択テーブルの中から一の演出が実行演出として決定される（ステップＳ３０２）。例えば、ＡＴ抽選状態コマンドが、ＡＴ遊技中の「高確率状態」を示すもので、かつ、当選役コマンドが、当選役グループ「左ベル」への当選を示すものである場合（当選役コマンド「２番」）には、選択された演出選択テーブルの中から、当選役グループ「左ベル」で最も有利な当選役である「中段ベル」に入賞可能なストップスイッチ２１Ｌ，２１Ｍ，２１Ｒの押し順を報知する報知演出が実行演出として決定される。最後に、決定された演出が実行演出としてセット（メモリ７５への記憶）されて処理が終了する（ステップＳ３０３）。
【０１４８】
したがって、上記した実施形態によれば、所定の設定変更操作があった場合に、その操作前後の設定変更パターンを判定する変更パターン判定手段１０９ａと、特別遊技の実行期待度が異なる複数の抽選状態（「高確率状態」、「低確率状態」）のいずれに移行させるかを変更パターン判定手段１０９ａの判定結果に基づいて決定する抽選状態決定手段１０９ｂと、特別遊技抽選状態移行手段１０９ｄにより移行された抽選状態に基づいて特別遊技（ＡＴ遊技）を実行するか否かを抽選により決定する特別遊技実行抽選手段１０９ｅとをメイン制御基板６３が備える。すなわち、従来、サブ制御基板７３と分担して行っていた設定変更から特別遊技の実行抽選（ＡＴ抽選）に至る処理をメイン制御基板６３で完結するように構成することで、メイン制御基板６３からサブ制御基板７３へ送信される信号（例えば、設定値コマンドなど）を書き換えるなどして、不正に有利な抽選状態（「高確率状態」）へ移行させたり、特別遊技（ＡＴ遊技）を実行させたりする不正行為を防止することができる。
【０１４９】
また、サブ制御基板７３の演出実行手段２０２では、特別遊技を実行している場合に、メイン制御基板６３のサブ制御コマンド送信手段１１１により送信された当選役コマンドに基づいて遊技者に有利な報知演出を実行する。例えば、役抽選手段１０３による役抽選結果が当選役グループ「左ベル」「中ベル」「右ベル」のいずれかであった場合、当該当選役グループに含まれる当選役の中で遊技者に最も有利な当選役である「中段ベル」の入賞に必要なストップスイッチ２１Ｌ，２１Ｍ，２１Ｒの押し順を報知する報知演出を実行する。この報知演出は、「中段ベル」の入賞なストップスイッチ２１Ｌ，２１Ｍ，２１Ｒの押し順を識別可能な当選役コマンド（「２番」〜「４番」）の作成により実現する。
【０１５０】
ここで、コマンド作成手段１１０は、役抽選手段１０３による役抽選結果が当選役グループ「左ベル」「中ベル」「右ベル」のいずれかであった場合、特別遊技（ＡＴ遊技）が実行されている場合にのみ、「中段ベル」の入賞なストップスイッチ２１Ｌ，２１Ｍ，２１Ｒの押し順を識別可能な当選役コマンド（「２番」〜「４番」）を作成し、通常遊技が実行されている場合は、押し順の識別が不可能な当選役コマンド（「１番」）を作成する。換言すれば、サブ制御基板７３へは、特別遊技（ＡＴ遊技）が実行されている場合にのみ、押し順を識別可能な当選役コマンド（「２番」〜「４番」）が送信される。このように不正に利用され得る情報（押し順を識別可能な当選役コマンド）の送信を、特別遊技の実行中という必要最小限の場合に制限することで、メイン制御部からサブ制御部へ送信される情報を入手して不正な利益を得るという不正行為を防止することができる。
【０１５１】
また、この実施形態では、従来、サブ制御部と分担して行っていた設定変更から特別遊技の実行抽選に至る処理をメイン制御基板６３側で完結するように構成し、特別遊技を実行しているか否かに関する情報を含む遊技情報をサブ制御コマンド送信手段１１１によりサブ制御基板７３に送信する。このようにすると、例えば、「中段ベル」の入賞に必要な情報（ストップスイッチ２１Ｌ，２１Ｍ，２１Ｒの押し順に関する情報）を、特別遊技の実行の有無にかかわらず常にサブ制御部に送信し、特別遊技の実行中のみに当該入賞に必要な情報を報知するようにした場合であっても、メイン制御基板６３からサブ制御基板７３へ送信される信号を書き換えるなどして、不正に有利な抽選状態へ移行させたり、特別遊技を実行させたりする不正行為を行いにくくすることができる。
【０１５２】
また、抽選状態決定手段１０９ｂによる各抽選状態（「低確率状態」、「高確率状態」）のいずれに移行させるかの決定を抽選により行うことで、抽選状態への移行が変更パターン判定手段１０９ａの判定結果に応じて一義的に決まらないように構成できるため、遊技者の興趣を高めることができる。また、同一設定に変更された場合と異設定に変更された場合とで設定変更用抽選テーブル６７３を分けて抽選することで、設定変更時における抽選状態の移行パターンの多様化を図ることができる。
【０１５３】
なお、本発明は上記した実施形態に限定されるものではなく、その趣旨を逸脱しない限りにおいて、上記したもの以外に種々の変更を行うことが可能である。例えば、上記した実施形態では、特別遊技抽選状態（抽選状態）を「高確率状態」と「低確率状態」の２種類で構成した場合について説明したが、「高確率状態」、「通常状態」、「低確率状態」というように、さらに種類を増やしてもよい。また、特別遊技への移行が既に決定された状態である「前兆状態」を抽選状態の一種類として加えても構わない。このようにすると、スロットマシン１の遊技性の多様化を図ることができるため、遊技者の興趣を高めることができる。
【０１５４】
また、上記した実施形態では特別遊技を実行するか否かの抽選（ＡＴ抽選）を行う契機として、役抽選手段１０３による役抽選結果が「強チェリー」、「弱チェリー」、「強スイカ」、「弱スイカ」への当選時の抽選に当選した場合を例として説明したが、例えば、毎遊技（ゲーム）でＡＴ抽選を行うよう構成してもよいし、所定の遊技数（ゲーム）を消化した時点でＡＴ抽選を行うように構成してもよい。
【０１５５】
また、上記した実施形態では、本発明の遊技機としてスロットマシン１を例に挙げて説明したが、パチンコ機や、スロットマシンとパチンコ機とを組み合わせた遊技機（いわゆるパロット）、あるいは、コンピュータプログラムが実行されることによるビデオゲームに本発明を適用してもよい。
【符号の説明】
【０１５６】
１…スロットマシン（遊技機）、６３…メイン制御基板（メイン制御部）、７３…サブ制御基板（サブ制御部）、１０１…設定変更手段、１０３…役抽選手段、１０９ａ…変更パターン判定手段、１０９ｂ…抽選状態決定手段、１０９ｄ…特別遊技抽選状態移行手段、１０９ｅ…特別遊技実行抽選手段、１０９ｆ…特別遊技実行手段、１１１…サブ制御コマンド送信手段（送信手段）、２００…サブ制御コマンド受信手段（受信手段）、２０２…演出実行手段（報知手段）、６７３…設定変更用抽選テーブル、６７３ａ…同一設定変更用抽選テーブル、６７３ｂ…異設定変更用抽選テーブル
【図１】
2016016202.tif 000003
【図２】
2016016202.tif 000004
【図３】
2016016202.tif 000005
【図４】
2016016202.tif 000006
【図５】
2016016202.tif 000007
【図６】
2016016202.tif 000008
【図７】
2016016202.tif 000009
【図８】
2016016202.tif 000010
【図９】
2016016202.tif 000011
【図１０】
2016016202.tif 000012
【図１１】
2016016202.tif 000013
【図１２】
2016016202.tif 000014